(57)【要約】【課題】表紙のサイズに関係なく、どのようなサイズの表紙を有する書類であっても収納可能な書類収納用ファイルを提供する。【解決手段】書類収納用ファイル１００は、一対の第一の領域１１１、１１２と、第一の領域の各々から外側に広がる一対の第二の領域１２１、１２２と、を有するホルダー１１０と、第二の領域の各々を覆うシート１３１、１３２と、からなる。シートは第二の領域よりも大きくないサイズを有しており、シートは第二の領域の上端及び下端においてのみ第二の領域に対して接着され、第二の領域の両側端１５３、１５４においては第二の領域に対して接着されていない。【選択図】図１
0003140793.tif 000002
【実用新案登録請求の範囲】
【請求項１】
第一の折り曲げ線を中心として左右対称に広がる一対の第一の領域と、前記第一の領域の各々から前記第一の折り曲げ線から離れる方向に広がる一対の第二の領域と、を有するホルダーと、
前記ホルダーの前記第二の領域の各々を前記第二の領域の各々の同一面側において覆うシートと、
からなる書類収納用ファイルであって、
前記第一の領域と前記第二の領域との境界には第二の折り曲げ線が形成されており、
前記第一の領域の各々には前記第一の折り曲げ線を中心として左右対称に少なくとも一つの孔が形成されており、
前記シートは前記第二の領域よりも大きくないサイズを有しており、
前記シートは前記第二の領域の上端及び下端においてのみ前記第二の領域に対して接着され、前記第二の領域の両側端においては前記第二の領域に対して接着されていない書類収納用ファイル。
【請求項２】
少なくとも何れか一方の前記シート上には、前記第二の領域の前記上端または前記側端に対して開口しているポケットが形成されていることを特徴とする請求項１に記載の書類収納用ファイル。
【考案の詳細な説明】
【技術分野】
【０００１】
本考案は書類収納用ファイルに関する。
【背景技術】
【０００２】
書類の破損や汚れを防止するとともに、バインダーに綴じることを可能にするための書類収納用ファイルが多数提案されている。
【０００３】
その一例として特開２０００−１５９７５号公報（特に、図２）に記載された書類収納用ファイルがある。
【０００４】
上記公報に記載された書類収納用ファイルは、透明な第１のシート及び第２のシートの各一端側を相互に連設し、他端側が自由端として開閉可能に設けられたシート本体と、第１のシート及び第２のシートの内面側に設けられ、これら二つのシートの各々に跨がって書類の収納を可能とするポケットと、を備えている。
【考案の開示】
【考案が解決しようとする課題】
【０００５】
上記公報に記載された書類収納用ファイルにおいては、第１のシート及び第２のシートの内面側に設けられたポケットは、第１のシート及び第２のシートの外縁に沿って第１のシート及び第２のシートに接着されている。このため、上記公報に記載された書類収納用ファイルは、第１のシート及び第２のシートと同じサイズの表表紙及び裏表紙を有する書類しか収納することができないという問題点があった。
【０００６】
このため、異なるサイズの表紙を有する書類に対しては、その書類の表紙のサイズに対応する別個の書類収納用ファイルを用意しなければならなかった。
【０００７】
本考案は以上のような問題点に鑑みてなされたものであり、表紙のサイズに関係なく、どのようなサイズの表紙を有する書類であっても収納可能な書類収納用ファイルを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、第一の折り曲げ線（１０１）を中心として左右対称に広がる一対の第一の領域（１１１、１１２）と、前記第一の領域（１１１、１１２）の各々から前記第一の折り曲げ線（１０１）から離れる方向に広がる一対の第二の領域（１２１、１２２）と、を有するホルダー（１１０）と、前記ホルダー（１１０）の前記第二の領域（１２１、１２２）の各々を前記第二の領域（１２１、１２２）の各々の同一面側において覆うシート（１３１、１３２）と、からなる書類収納用ファイル（１００）であって、前記第一の領域（１１１、１１２）と前記第二の領域（１２１、１２２）との境界には第二の折り曲げ線（１０２）が形成されており、前記第一の領域（１１１、１１２）の各々には前記第一の折り曲げ線（１０１）を中心として左右対称に少なくとも一つの孔（１４１、１４２）が形成されており、前記シート（１３１、１３２）は前記第二の領域（１２１、１２２）よりも大きくないサイズを有しており、前記シート（１３１、１３２）は前記第二の領域（１２１、１２２）の上端及び下端においてのみ前記第二の領域（１２１、１２２）に対して接着され、前記第二の領域（１２１、１２２）の両側端（１５３、１５４）においては前記第二の領域（１２１、１２２）に対して接着されていない書類収納用ファイル（１００）を提供する。
【００１０】
少なくとも何れか一方の前記シート（１３１、１３２）上には、前記第二の領域（１２１、１２２）の前記上端または前記側端（１５３、１５４）に対して開口しているポケット（２０１、２０２）が形成されていることが好ましい。
【考案の効果】
【００１１】
従来の書類収納用ファイルにおいては、シートは、第二の領域の上端及び下端のみならず、第二の領域の両側端においても、第二の領域に対して接着されていた。このため、従来の書類収納用ファイルにおいては、第二の領域と同じ大きさ（具体的には、第二の領域の左右方向の長さ）の表表紙及び裏表紙を有する書類のみしか収納することができなかった。
【００１２】
これに対して、本考案に係る書類収納用ファイルによれば、第二の領域の両側端においては、第二の領域はシートに対して開口端となっているため、第二の領域よりも大きいサイズ（具体的には、第二の領域の左右方向の長さ）の表表紙及び裏表紙を有する書類であっても、書類収納用ファイルに収納が可能である。すなわち、一つの書類収納用ファイルで種々のサイズの書類を収納することができ、従来の書類収納用ファイルのように、異なるサイズの書類に対して異なる大きさの書類収納用ファイルを用意する必要はない。
【考案を実施するための最良の形態】
【００１３】
（第一の実施形態）
図１は本考案の第一の実施形態に係る書類収納用ファイル１００を上方から見た平面図である。
【００１４】
図１に示すように、本実施形態に係る書類収納用ファイル１００は、第一の折り曲げ線１０１を中心として左右対称に広がる一対の第一の領域１１１、１１２と、第一の領域１１１、１１２の各々から第一の折り曲げ線１０１から離れる方向に広がる一対の第二の領域１２１、１２２と、を有するホルダー１１０と、ホルダー１１０の第二の領域１２１、１２２の各々を第二の領域１２１、１２２の各々の同一面側（図１においては、看者が見る面の側）において覆うシート１３１、１３２と、から構成されている。
【００１５】
ホルダー１１０はある程度の剛性を有する素材でつくられている。例えば、ホルダー１１０はプラスチック、表面に耐水性を施した合成紙などでつくることができる。
【００１６】
第一の領域１１１、１１２は何れも矩形形状をなしており、かつ、同一形状である。
【００１７】
同様に、第二の領域１２１、１２２は何れも矩形形状をなしており、かつ、同一形状である。
【００１８】
ホルダー１１０は全体として矩形形状をなしている。
【００１９】
第一の領域１１１、１１２は第一の折り曲げ線１０１において折り曲げ可能である。
【００２０】
また、第一の領域１１１、１１２と第二の領域１２１、１２２との境界には第二の折り曲げ線１０２がそれぞれ形成されている。このため、第二の領域１２１、１２２は第二の折り曲げ線１０２において第一の領域１１１、１１２に対して折り曲げ可能である。
【００２１】
第一の領域１１１、１１２の各々には第一の折り曲げ線１０１を中心として左右対称に６個の孔１４１、１４２がそれぞれ形成されている。
【００２２】
シート１３１、１３２は第二の領域１２１、１２２と同一の大きさを有しており、例えば、透明のビニールからなる。
【００２３】
シート１３１、１３２は第二の領域１２１、１２２の上端及び下端の接着領域１５１、１５２（斜線で示す領域）においてのみ第二の領域１２１、１２２に対して接着されている。すなわち、シート１３１、１３２は第二の領域１２１、１２２の両側端１５３、１５４においては第二の領域１２１、１２２に対しては接着されておらず、第二の領域１２１、１２２の両側端１５３、１５４はシート１３１、１３２に対して開口端となっている。
【００２４】
上記のような構造を有する本実施形態に係る書類収納用ファイル１００は以下のようにして使用される。
【００２５】
図２は、表表紙３０１及び裏表紙３０２を有する書類３００を本実施形態に係る書類収納用ファイル１００に収納した場合の断面図である。
【００２６】
先ず、図２に示すように、第一の領域１１１、１１２を第一の折り曲げ線１０１において相互に接するように折り曲げ、さらに、第二の折り曲げ線１０２に沿って第二の領域１２１、１２２を第一の領域１１１、１１２に対して折り曲げる。
【００２７】
次いで、書類３００の表表紙３０１をシート１３１と第二の領域１２１との間に通し、さらに、同様にして、書類３００の裏表紙３０２をシート１３２と第二の領域１２２との間に通す。
【００２８】
第二の領域１２１、１２２の両側端１５３、１５４はシート１３１、１３２に対して開口端となっているため、図２に示すように、書類３００の表表紙３０１及び裏表紙３０２がそれぞれシート１３１、１３２のサイズ（具体的には、図１の左右方向の長さ）よりも大きくても、表表紙３０１及び裏表紙３０２はそれぞれシート１３１、１３２よりも横方向に延長した状態で、書類３００を本実施形態に係る書類収納用ファイル１００に収納することができる。
【００２９】
書類３００を書類収納用ファイル１００に収納した後、第一の領域１１１、１１２に形成されている孔１４１、１４２にバインダー（図示せず）のシャフト４００を挿入することにより、書類収納用ファイル１００に収納された書類３００をバインダーに保存することができる。
【００３０】
従来の書類収納用ファイルにおいては、シート１３１、１３２は、第二の領域１２１、１２２の上端及び下端の接着領域１５１、１５２のみならず、第二の領域１２１、１２２の両側端１５３、１５４においても、第二の領域１２１、１２２に対して接着されていた。このため、従来の書類収納用ファイルにおいては、第二の領域１２１、１２２と同じ大きさ（具体的には、第二の領域１２１、１２２の左右方向の長さ）の表表紙及び裏表紙を有する書類のみしか収納することができなかった。
【００３１】
これに対して、本実施形態に係る書類収納用ファイル１００によれば、第二の領域１２１、１２２の両側端１５３、１５４においては、第二の領域１２１、１２２はシート１３１、１３２に対して開口端となっているため、第二の領域１２１、１２２よりも大きいサイズ（具体的には、第二の領域１２１、１２２の左右方向の長さ）の表表紙及び裏表紙を有する書類であっても、書類収納用ファイル１００に収納が可能である。
【００３２】
すなわち、一つの書類収納用ファイル１００で種々のサイズの書類３００を収納することができ、従来の書類収納用ファイルのように、異なるサイズの書類３００に対して異なる大きさの書類収納用ファイルを用意する必要はない。
【００３３】
本実施形態に係る書類収納用ファイル１００は上記の構造に限定されるものではなく、種々の改変が可能である。
【００３４】
例えば、本実施形態に係る書類収納用ファイル１００においては、シート１３１、１３２は第二の領域１２１、１２２と同じ大きさを有するものとして形成されているが、シート１３１、１３２の大きさはこれには限定されない。シート１３１、１３２のサイズ（具体的には、図１の左右方向における長さ）は第二の領域１２１、１２２のサイズ（具体的には、図１の左右方向における長さ）よりも大きくない限りにおいて、任意のサイズを選定することが可能である。
（第二の実施形態）
図３は本考案の第二の実施形態に係る書類収納用ファイル２００を上方から見た平面図である。
【００３５】
本実施形態に係る書類収納用ファイル２００は、第一の実施形態に係る書類収納用ファイル１００と比較して、各シート１３１、１３２上に形成されているポケット２０１、２０２をさらに備えている。
【００３６】
ポケット２０１、２０２は第二の領域１２１、１２２の上端に対して開口している。
【００３７】
ポケット２０１、２０２には、例えば、書類３００の附属品としてのコンパクトディスク（ＣＤ）や、書類３００の関係者の名刺などを入れておくことができる。
【００３８】
本実施形態に係る書類収納用ファイル２００においては、ポケット２０１、２０２はシート１３１、１３２の各々に形成されているが、シート１３１、１３２の何れか一方においてのみ形成することも可能である。
【００３９】
また、本実施形態に係る書類収納用ファイル２００においては、ポケット２０１、２０２は第二の領域１２１、１２２の上端に対して開口しているが、第二の領域１２１、１２２の側端１５３、１５４に対して開口するように形成することも可能である。
【図面の簡単な説明】
【００４０】
【図１】本考案の第一の実施形態に係る書類収納用ファイルを上方から見た平面図である。
【図２】書類を本考案の第一の実施形態に係る書類収納用ファイルに収納した場合の断面図である。
【図３】本考案の第二の実施形態に係る書類収納用ファイルを上方から見た平面図である。
【符号の説明】
【００４１】
１００  本考案の第一の実施形態に係る書類収納用ファイル
１０１  第一の折り曲げ線
１０２  第二の折り曲げ線
１１０  ホルダー
１１１、１１２  第一の領域
１２１、１２２  第二の領域
１３１、１３２  シート
１４１、１４２  孔
１５１、１５２  接着領域
１５３、１５４  第二の領域の側端
２００  本考案の第二の実施形態に係る書類収納用ファイル
２０１、２０２  ポケット
３００  書類
３０１  表表紙
３０２  裏表紙
【図１】
0003140793.tif 000003
【図２】
0003140793.tif 000004
【図３】
0003140793.tif 000005